(57)【要約】  【課題】  膜巻回体の外径に対する制約が小さく、膜巻回体とテレスコープ防止板との接合外周面を原液シール部材等で覆わなくても巻き付け繊維の落ち込みを防止することができるテレスコープ防止板を提供する。  【解決手段】  スパイラル型流体分離素子の一端側もしくは両端側に設置されるテレスコープ防止板４であって、該テレスコープ防止板の外周環部２２の、流体分離素子の膜巻回体と接合する側に、複数の突起２６が環周沿いに配設されているものである。【選択図】  図１
2012183464.tif 000002
【特許請求の範囲】
【請求項１】
スパイラル型流体分離素子の一端側もしくは両端側に設置されるテレスコープ防止板であって、該テレスコープ防止板の外周環部の、流体分離素子の膜巻回体と接合する側に、複数の突起が環周沿いに配設されていることを特徴とする流体分離素子用テレスコープ防止板。
【請求項２】
突起の形状が、錐体状、柱状または半球状である請求項１に記載の流体分離素子用テレスコープ防止板。
【請求項３】
突起の少なくとも先端部が先細形状である請求項２に記載の流体分離素子用テレスコープ防止板。
【請求項４】
突起の表面に凹凸がある請求項１〜３のいずれかに記載の流体分離素子用テレスコープ防止板。
【請求項５】
集水管の周りに、分離膜、原液流路材及び透過液流路材がスパイラル状に巻回され、その膜巻回体の長手方向の一端側もしくは両端側に、請求項１〜４のいずれかに記載のテレスコープ防止板が取り付けられ、膜巻回体の外周面側が繊維強化樹脂層で覆われた構造を有するスパイラル型流体分離素子であって、テレスコープ防止板の突起が、膜巻回体の端部及び／又は繊維強化樹脂層の端部に貫入していることを特徴とする流体分離素子。
【発明の詳細な説明】
【技術分野】
【０００１】
本発明は、逆浸透装置、ナノ濾過装置、限外濾過装置、精密濾過装置等の流体分離装置に好適に用いられる流体分離素子およびそのテレスコープ防止板に関するものである。
【背景技術】
【０００２】
海水淡水化用、半導体製造業における超純水製造用、さらには、一般のかん水淡水化用、有機物の分離用、廃水の再利用などの種々の分野において、分離膜を利用したさまざまな流体分離処理装置を用い、膜の透過液または濃縮液を有価物として取得することが行われている。この流体分離処理装置においては、分離膜を用いた流体分離素子を圧力容器に装填して使用することが一般的に行われている。
【０００３】
分離膜を用いた流体分離素子の形態としては、中空糸膜を用いた流体分離素子や、平膜を用いたプレートフレーム型流体分離素子、スパイラル型流体分離素子があげられる。
【０００４】
スパイラル型流体分離素子は、分離膜が透過液流路材と原液流路材と共に集水管の周りにスパイラル状に巻き付けられた構造をとるものであり、例えば、図３に示すような構造をとる。
【０００５】
図３において、第１の分離膜８および第２の分離膜９は、３辺が互いに接着され、もしくは折り返された封筒状の形状となっている。この封筒状の膜の間に透過液流路材１０が挟み込まれている。これと原液流路材１１とを１つのユニットとして、単数もしくは複数ユニットを積み重ね、集水管１の周囲にスパイラル状に巻き付けられ膜巻回体２を形成している。封筒状の膜は集水管１側で開口している。膜巻回体２の長手方向の両端部にはそれぞれテレスコープ防止板４ｕ、４ｄが取り付けられている。
【０００６】
原液６は、流体分離素子の一方の端面から、上流側のテレスコープ防止板４ｕを通って膜巻回体２内へと流入し、第１の分離膜８および第２の分離膜９を透過するか否かにより膜分離処理される。分離膜８、９を透過した透過液１３は透過液流路材１０を伝って流れ集水管１で集められ透過水１４として取り出される。分離膜８、９を透過しなかった原液７は、下流側のテレスコープ防止板４ｄを通り、流体分離素子の他方の端面から濃縮液１２として排出される。
【０００７】
このようなスパイラル型流体分離素子においては、通常、膜巻回体２の外周面側が、ガラス繊維とエポキシ樹脂とからなる繊維強化樹脂（ＦＲＰ）によりシェル状に固められている。この繊維強化樹脂層（外側ＦＲＰシェル）３は、膜巻回体２の形状を保持すると共に、膜巻回体２の外周面での原液通過を阻止する機能を果たす。
【０００８】
また、流体分離素子の上流側に取り付けられたテレスコープ防止板４ｕの外周面にはブラインシール５と呼ばれるシール部材が取り付けられている（図３には図示なし）。このブラインシール５は、流体分離素子が圧力容器内に装填されて原水が流入された際に、流体分離素子の外側ＦＲＰシェル３と圧力容器との隙間内へ原水が流入してショートパスするのを防ぐ機能を果たす。
【０００９】
同様のショートパスを防ぐために、膜巻回体２とテレスコープ防止板４との接合部における接合溝を覆うように、その接合溝の外周面に繊維強化樹脂層３を配している。繊維強化樹脂層３を膜巻回体２及び接合溝の外周を覆うように配置する際、例えば、エポキシ樹脂を含浸させたガラス繊維ロービングを巻き付けて樹脂硬化させる方法が採用される。その巻き付け法としてはフープ巻きやヘリカル巻きが知られているが、膜巻回体の外周を強く巻付けることができる点からフープ巻き（ガラス繊維を、集水管の軸長手方向に対してほぼ直角に巻き付ける方法）が一般に採用されている。
【００１０】
フープ巻きによりガラス繊維ロービングを巻き付ける際、ガラス繊維が接合溝内に入り込み、膜巻回体２の端面とテレスコープ防止板４との間へ落ち込み易い。ガラス繊維が接合溝から膜巻回体端面の奥深くへと落ち込むと、そのガラス繊維に付着した樹脂分が膜巻回体端面の原液流路部分で硬化し原液流路を閉塞させるという不具合が生じる。
【００１１】
そこで、フープ巻きする際に、ガラス繊維が接合溝から落ち込まないようにするために、テレスコープ防止板の外周部に、膜巻回体の端部外周をはめ込むための環状突出部を設けることが知られている。（例えば特許文献１、２参照）。しかし、膜巻回体の端部外周を環状突出部内にはめ込む構造では、膜巻回体の直径が制限され、膜面積を増加させるのに限界があるという問題があるため、現在は、環状突出部のないテレスコープ防止板を使用するのが一般的となっている（特許文献３参照）。
【００１２】
環状突出部のないテレスコープ防止板を使用する場合は、例えば図４に示すように、テレスコープ防止板の外周面から膜巻回体の外周面にかけて、原液シール部材２７で覆い（例えば、テープや弾性体を巻き回す方法による）、その上にガラス繊維ロービングを巻き付けることにより繊維強化樹脂層５を形成する方法が採用される。この方法によると、膜巻回体とテレスコープ防止板との接合面からガラス繊維が落ち込むことを防止できるが、作業効率の低下や作業の複雑性の点から問題がある。
【先行技術文献】
【特許文献】
【００１３】
【特許文献１】特開平11-207156号公報（図１０、図１１）
【特許文献２】特開2000-354742号公報（図２、図７）
【特許文献３】特開2000-93761号公報
【発明の開示】
【発明が解決しようとする課題】
【００１４】
そこで、本発明の目的は、膜巻回体の外径に対する制約が小さく、かつ、膜巻回体とテレスコープ防止板との接合外周面を原液シール部材等で覆わなくても巻き付け繊維の落ち込みを防止することができるテレスコープ防止板を提供すること、併せて、このテレスコープ防止板を備えた流体分離素子を提供することにある。
【課題を解決するための手段】
【００１５】
上記の課題を解決するために、本発明のテレスコープ防止板、流体分離素子は以下のとおり特定される。
（１）  スパイラル型流体分離素子の一端側もしくは両端側に設置されるテレスコープ防止板であって、該テレスコープ防止板の外周環部の、流体分離素子の膜巻回体と接合する側に、複数の突起が環周沿いに配設されている流体分離素子用テレスコープ防止板。
（２）  突起の形状が、錐体状、柱状または半球状である上記（１）に記載の流体分離素子用テレスコープ防止板。
（３）  突起の少なくとも先端部が先細形状である上記（２）に記載の流体分離素子用テレスコープ防止板。
（４）  突起の表面に凹凸がある上記（１）〜（３）のいずれかに記載の流体分離素子用テレスコープ防止板。
（５）  集水管の周りに、分離膜、原液流路材及び透過液流路材がスパイラル状に巻回され、その膜巻回体の長手方向の一端側もしくは両端側に、上記（１）〜（４）のいずれかに記載のテレスコープ防止板が取り付けられ、膜巻回体の外周面側が繊維強化樹脂層で覆われた構造を有するスパイラル型流体分離素子であって、テレスコープ防止板の突起が、膜巻回体の端部及び／又は繊維強化樹脂層の端部に貫入していることを特徴とする流体分離素子。
【発明の効果】
【００１６】
本発明のテレスコープ防止板を用いると、膜巻回体の外周面に繊維強化樹脂層を形成する際に、膜巻回体とテレスコープ防止板の接合外周面を原液シール部材で覆わなくても、巻き付け繊維が、巻回体端部とテレスコープ防止板の接合面内に大きく落ち込むことがなく、原液流路を閉塞させることがない。この結果、原液シール部材を配する必要がなくなり、作業を効率化、容易化できる。
【図面の簡単な説明】
【００１７】
【図１】本発明の流体分離素子用テレスコープ防止板の一例を示す図であり、（ａ）は巻回体との突き合わせ側を示す側面図、（ｂ）はその断面図である。
【図２】従来の流体分離素子用テレスコープ防止板の一例を示す図であり、（ａ）は巻回体との突き合わせ側を示す側面図、（ｂ）はその断面図である。
【図３】一般的なスパイラル型流体分離素子を示す一部分解斜視図である。
【図４】従来の流体分離素子用テレスコープ防止板を膜巻回体に接合させた時の状態を示す要部断面図である。
【図５】本発明の流体分離素子用テレスコープ防止板を大径の膜巻回体に取り付けた時の状態を示す要部断面図である。
【図６】本発明の流体分離素子用テレスコープ防止板を、小径の膜巻回体に取り付けた時の状態を示す要部断面図である。
【図７】（ａ）〜（ｅ）は、本発明のテレスコープ防止板に設ける突起の一例を示すものであって、それぞれ、左側が突起の正面図、右側が突起の側面図である。
【図８】（ｆ）〜（ｈ）は、本発明のテレスコープ防止板に設ける突起の一例を示すものであって、それぞれ、左側が突起の正面図、右側が突起の側面図である。
【図９】（ａ）、（ｂ）は、本発明のテレスコープ防止板に設ける突起の一例（表面に凸がある突起の一例）を示す側面図である。
【発明を実施するための形態】
【００１８】
以下、本発明の流体分離素子やテレスコープ防止板の実施の形態について、図面を参照しながら説明する。
【００１９】
本発明が適用される流体分離素子は、例えば図３に示すように、スパイラル型の膜巻回体２を備え、その両端側にテレスコープ防止板４ｕ、４ｄが取り付けられてなる流体分離素子である。テレスコープ防止板が膜巻回体２の片端側に設けられたものでもよい。流体分離素子が圧力容器内に装填されて使用される際に、圧力容器と流体分離素子との隙間内への原液の流入を防ぐため、ブラインシール５が上流側のテレスコープ防止板４ｕの外周面に取り付けられている。
【００２０】
流体分離素子を構成する膜巻回体２は、前述したように、分離膜、原水流路材及び透過水流路材が所定順序で重ねられたユニットが積み重ねられてスパイラル状に巻回されたものであり、その外側に、繊維強化樹脂（ＦＲＰ）製の外側ＦＲＰシェル５が形成されている。分離膜としては、逆浸透膜、ナノ濾過膜、限外濾過膜、精密濾過膜等が用いられる。膜巻回体２の中心には、透過水を集めて流すための集水管１が配置されている。集水管１には透過水流入用の孔が開けられている。
【００２１】
膜巻回体２の両端側もしくは片端側にはテレスコープ防止板４が取り付けられる。両端側にテレスコープ防止板４を取り付ける場合には、上流側のテレスコープ防止板４ｕの溝２５にブラインシール５を嵌め込むことが好ましい。
【００２２】
テレスコープ防止板４としては、種々の形状があるが、図１や図２には、スポーク型のテレスコープ防止板の形状を例示する。図に示すように、スポーク型テレスコープ防止板は、主として、内周環部２１、外周環部２２、スポーク部２３から構成される。内周環部２１の内側には、膜巻回体の中心に位置する集水管が嵌合される。外周環部２２の外周面には、ブラインシール嵌め込み用溝２５が設けられる。スポーク部２３は、内周環部２１と外周環部２２とを繋ぐものであり、内周環部２１と外周環部２２とスポーク部２３とで囲まれる空間２４は原液流路となり、上流側のテレスコープ防止板４ｕの場合、図１（ｂ）や図２（ｂ）に示す矢印方向に原液が流れる。内周環部２１と外周環部２２とを繋ぐ部材は、原液流路用の空間が開いていれば種々の形状をとることができ、例えば、原液流路として複数ないし多数の丸孔が穿設された多孔板状でもよい。
【００２３】
本発明のテレスコープ防止板には、テレスコープ防止板の外周環部２２の、流体分離素子の膜巻回体と接合する側に、複数の突起２６が環周沿いに配列している。膜巻回体２の端面側にテレスコープ防止板が配設され繊維強化樹脂層３が形成された際には、突起２６は膜巻回体２の端部、繊維強化樹脂層３の端部、もしくは、膜巻体２と繊維強化樹脂層３との界面の端部のいずれかに突き刺さる状態となる。即ち、突起２６の位置が、膜巻回体２の外周よりも内側である場合には、突起２６は膜巻回体２の端部に突き刺さる状態となる（図５）。突起の位置が、膜巻回体２の外周よりも外側である場合には、突起２６は繊維強化樹脂層３の端部に突き刺さる状態となる（図６）。また、突起の位置が、膜巻回体２の外周と同じ位置である場合には、突起２６は膜巻体２と繊維強化樹脂層３との界面に突き刺さる状態となる。
【００２４】
突起２６の位置が、膜巻回体２の外周よりも内側である場合、膜巻回体２の端面側にテレスコープ防止板を連設させると、突起２６は膜巻回体２の端面に突き刺さる状態（貫入状態）となる。この状態で、膜巻回体２とテレスコープ防止板４との接合外周面の部分（接合溝）を含む外周側に、それらを覆うように樹脂含浸繊維を巻き回すと、その巻き回した繊維の一部が接合溝内に入り込むことがある。しかし、接合溝内に繊維が入り込んでも、突起２６で係止されるため、突起２６よりも内部深くへと落ち込むことがない。即ち、原液流路を塞ぐような位置まで樹脂含浸繊維が入り込むことを防止できる。
【００２５】
樹脂含浸繊維が接合面の内部深くへと落ち込まないようにするためには、突起の数は多い方が好ましいが、多過ぎる場合には、テレスコープ防止板の膜巻回体の端面への取り付け時に、突起を貫入させるために大きな力が必要になり、労力を要し、作業性が悪化する。これら観点から、突起の数は、４インチサイズの流体分離素子においては５個以上、８インチサイズの流体分離素子においては７個以上、１６インチサイズの流体分離素子においては１０個以上であることが好ましい。突起の数が上記個数よりも少ない場合には、樹脂含浸繊維の内部深くへの落ち込みの防止が難しくなり易い。突起の形状が、外周方向に幅をもつ弧状の突起である場合には、突起の数を少な目にすることも可能であるが、弧の幅が広過ぎる場合には突起を貫入させるために大きな力が必要となるので好ましくない。
【００２６】
図７（ａ）〜（ｅ）、図８（ｆ）〜（ｈ）及び図９（ａ）、（ｂ）は、テレスコープ防止板に設けた突起２６及びその近傍部分（図１（ｂ）における点線で丸く囲んだ部分）について、種々の形状を例示するものである。
【００２７】
突起の形状は、膜巻回体内に、その端面から貫入できる形状であればよい。例えば、円柱、多角柱のような柱状；円錐、多角錐のような錐体状；半球状などのいずれでも良いが、柱状や錐体状であることが好ましい。特に、膜巻体内に貫入しやすいように、突起の先端が錘状または球状のように先細形状であることが好ましい。例えば、図７（ａ）に示すような円錐状、図７（ｂ）に示すような四角錐状、図７（ｃ）に示すような先端を丸くした円錐状、図７（ｄ）に示すような先端を丸くした四角錐状、図７（ｅ）に示すような長円半分の半球状、図８（ｆ）に示すような先端が半球である円柱状、図８（ｇ）に示すような円柱状、図８（ｈ）に示すような四角柱状などが例示される。
【００２８】
突起の高さＨは、０．５ｍｍ以上であることが好ましい。高さが０．５ｍｍ未満である場合には、接合溝内に流入した樹脂含浸繊維が突起によって係止されずに内部深くまで落ち込み易くなるので好ましくない。また、突起の高さは２０ｍｍ以下であることが好ましい。高さが２０ｍｍより大きいと、膜巻回体の端面側にテレスコープ防止板を配置する際に、突起が膜巻回体内部に十分貫入することができない。突起の高さは、なかでも、２〜１５ｍｍであることが好ましい。
【００２９】
突起１個の大きさ（即ち、突起の高さに対し垂直な断面での断面積）は、膜巻回体への貫入に要する圧力の点から、大き過ぎないことが好ましい。しかし、小さ過ぎる場合には、樹脂含浸繊維の落ち込みを阻止できる強度を確保し難くなり、即ち、落ち込もうとする繊維により切断され易くなる。そこで、突起１個の大きさは、突起底部の断面積が０．２〜１５ｍｍ２であることが好ましい。
【００３０】
また、突起の表面は、図７、図８に示すような凹凸のない面でもよいし、図９に示すような凹凸がある面でもよい。その凹凸の形状は特定されず任意であればよい。凹凸がある場合には、突起が膜巻回体内に貫入した時に抜けにくくなり、膜巻回体とテレスコープ防止板との配置構造をより安定化させることができる。図９（ａ）は、先端が円錐である円柱状の突起の表面に、全周にわたる凹凸を設けた場合を例示する。図９（ｂ）は、先端が半球である円柱状の突起の表面に、片側だけの切り込みを設けた場合を例示する。
【００３１】
樹脂含浸繊維が接合面の内部深くへと落ち込むことを防止するという目的を、最小個数の突起でもって達成するためには、突起は、外周端部の側面に、ほぼ等間隔で配置されていることが好ましく、また、外周端部の極力外周近くに設けられることが好ましい。
【００３２】
突起を配設した本発明のテレスコープ防止板は、通常の金型成型法による樹脂成型によって製造すればよい。
【００３３】
本発明のテレスコープ防止板を、大径の膜巻回体に取り付ける場合には、例えば図５に示すように、突起２６が膜巻回体２内に貫入されるようにすればよい。即ち、集水管１の端部とテレスコープ防止体の内周環部２１とが嵌合するように、かつ、膜巻回体２の端部にテレスコープ防止板の突起２６が貫入するようにして、テレスコープ防止板を取り付ける。同時に、集水管１の端部と内周環部２１との嵌合部分を接着材等の固着手段によって固着させる。次いで、膜巻回体２の外周と、膜巻回体２と外周環部２２との接合溝の外周と、外周端部２２の一部の外周とを覆うように、樹脂含浸繊維を巻き回し、樹脂硬化させ、繊維強化樹脂層３を形成する。
【００３４】
また、本発明のテレスコープ防止板を、小径の膜巻回体に取り付ける場合には、例えば図６に示すように、突起２６が繊維強化樹脂層３内に貫入するようにすればよい。あるいは、膜巻体２と繊維強化樹脂層３との間に突起２６が貫入するようにすればよい。具体的には、膜巻回体２の端部にテレスコープ防止板を配した後、テレスコープ防止板の内周環部２１と集水管１とを嵌合させ、同時に突起２６を膜巻回体２に外挿させるように、テレスコープ防止板を押し込んで取り付ける。この際、内周環部２１と集水管１との嵌合部分は接着剤等により固着させる。次いで、膜巻回体の外周と、テレスコープ防止板における突起及び外周環部の一部分とを覆うように、樹脂含浸繊維を巻き回し、樹脂硬化させ、繊維強化樹脂層３を形成する。樹脂含浸繊維の巻き回しの際に、その一部が突起の内側に入り込んでも、膜巻回体の端面にまでは入り込まないし、また、突起の内側に樹脂含浸繊維のない空間ができても実用上の問題はない。
【実施例】
【００３５】
以下、本発明の実施の形態を具体的な実施例を用いて説明する。なお、本発明は以下の実施例に限定されるものではない。
【００３６】
（実施例１）
直径８インチのスポーク型テレスコープ防止板の外周環部の、膜巻回体と接合する側に、底面の直径が１ｍｍ、高さが５ｍｍで凹凸のない面からなる円錐状の突起を、３０度おきの等間隔で合計１２個配置した形状（図１と同様の形状）のテレスコープ防止板をＡＢＳ樹脂の成型により作製した。ここで、テレスコープ防止板の突起配置部分の直径は１９６ｍｍであった。また、集水管の外周に膜巻回体を形成した膜巻回体部材として、膜巻回体の外径が
２００ｍｍであるものを通常の方法で作製した。
【００３７】
上記膜巻回体部材の端部に、上記テレスコープ防止板を、その突起が膜巻回体と接するように配した後、テレスコープ防止板の内周環部と集水管とが嵌合し、突起が膜巻回体に貫入するように、テレスコープ防止板を押し込んで取り付けた。この際、内周環部と集水管との嵌合部分は接着剤により固着させた。取り付け後、突起は膜巻回体内に貫入された状態となった。
【００３８】
その後、膜巻回体の外周と、膜巻回体とテレスコープ防止板との接合溝部分と、テレスコープ防止板における外周環部の一部分とを覆うように、エポキシ樹脂を含浸させたガラス繊維ロービング（オーウェンスコーニング社製、１１５０ｔｅｘ）の束をフープ巻きした後、樹脂硬化させ、繊維強化樹脂層を形成した。
【００３９】
フープ巻きした際に樹脂含浸ガラス繊維束の一部が接合溝から落ち込んだが突起によって内部への落ち込みが阻止されていたので、ガラス繊維束が膜巻回体の端面の原液流路部分まで落ち込むことはなく、原液流路部分での閉塞がない流体分離素子を製造することができた。
【００４０】
（実施例２）
テレスコープ防止板として、実施例１の場合と同じ突起付きテレスコープ防止板を使用した。また、集水管の外周に膜巻回体を形成した膜巻回体部材として、膜巻回体の外径が
１９２ｍｍであるものを通常の方法で作製した。
【００４１】
上記膜巻回体部材の端部に、上記テレスコープ防止板を配した後、テレスコープ防止板の内周環部と集水管とが嵌合され、突起が膜巻回体に外挿されるように、テレスコープ防止板を押し込んで取り付けた。この際、内周環部と集水管との嵌合部分は接着剤により固着させた。
【００４２】
その後、膜巻回体の外周と、テレスコープ防止板における突起及び外周環部の一部分とを覆うように、エポキシ樹脂を含浸させたガラス繊維ロービング（オーウェンスコーニング社製、１１５０ｔｅｘ）の束をフープ巻きした後、樹脂硬化させ、繊維強化樹脂層を形成した。
【００４３】
フープ巻きを何重にも行った際に樹脂含浸ガラス繊維束の一部が突起よりも内側に入り込んだが、膜巻回体の端面にまでは入り込まず、また、突起によって落ち込みが阻止されていたので、樹脂含浸ガラス繊維束が膜巻回体の端面の原液流路部分まで落ち込むことはなく、原液流路部分での閉塞がない流体分離素子を製造することができた。
【００４４】
（比較例１）
テレスコープ防止板として、突起を有さない以外は実施例１と同じ形状（図２と同様の形状）の８インチテレスコープ防止板を使用した。また、集水管の外周に膜巻回体を形成した膜巻回体部材として、実施例１の場合と同じ膜巻回体部材を使用した。
【００４５】
上記膜巻回体部材の端部に上記テレスコープ防止板を配した後、テレスコープ防止板の内周環部と集水管とが嵌合するように取り付け、内周環部と集水管との嵌合部分を接着剤により固着させた。
【００４６】
その後、膜巻回体の外周と、膜巻回体とテレスコープ防止板との接合溝部分と、テレスコープ防止板における外周環部の一部分とを覆うように、エポキシ樹脂を含浸させたガラス繊維ロービング（オーウェンスコーニング社製、１１５０ｔｅｘ）の束をフープ巻きした後、樹脂硬化させ、繊維強化樹脂層を形成した。
【００４７】
フープ巻きした際に樹脂含浸ガラス繊維束の一部が接合溝から落ち込み、膜巻回体端面の原液流路部分まで達したので、ガラス繊維束に含浸されていた樹脂の硬化により原液流路部分に閉塞部分が生じ、膜巻回体端面での原液流路が減少した流体分離素子となった。
【符号の説明】
【００４８】
１  集水管
２  膜巻回体
３  繊維強化樹脂層（外側ＦＲＰシェル）
４、４ｕ、４ｄ  テレスコープ防止板
５  ブラインシール
６、７  原液の流れ
８  第１の分離膜３
９  第２の分離膜
１０  透過液流路材
１１  原液流路材
１２  濃縮液
１３、１４  透過液
２１  内周環部
２２  外周環部
２３  スポーク部
２４  原液流路用の空間
２５  ブラインシール嵌め込み用溝
２６  突起
２７  原液シール部材
Ｈ  突起の高さ
【図１】
2012183464.tif 000003
【図２】
2012183464.tif 000004
【図３】
2012183464.tif 000005
【図４】
2012183464.tif 000006
【図５】
2012183464.tif 000007
【図６】
2012183464.tif 000008
【図７】
2012183464.tif 000009
【図８】
2012183464.tif 000010
【図９】
2012183464.tif 000011